(57)【特許請求の範囲】
【請求項１】
ＭＰＥＧ圧縮されたテレビジョン信号を一連の信号パケットとしてテレビジョンレシーバに送信する方法において、
中断後に前記信号の前記送信が再開できる所定の位置で位置ラベルを前記信号へ挿入するステップと、
前記位置ラベルが挿入された前記信号を送信するステップと、
前記レシーバからの要求に応答して前記信号の送信を中断するステップと、
前記レシーバからの再開要求に応答して前記信号の送信を再開するステップであって、前記送信が前記再開要求に規定された位置において再開されるステップと、
を有することを特徴とする方法。
【請求項２】
請求項１に記載の方法において、前記位置ラベルが、前記信号パケット間の所定の位置に挿入された制御パケットに収容されることを特徴とする方法。
【請求項３】
請求項２に記載の方法において、前記位置ラベルが前記制御パケット内のＭＰＥＧストリームデスクリプタとして送信されることを特徴とする方法。
【請求項４】
前記信号が一連のパケットとして送信される請求項１に記載の方法において、前記位置ラベルが前記パケットのうちの選択されたパケットに収容されることを特徴とする方法。
【請求項５】
前記位置ラベルがＭＰＥＧトランスポートパケットのアダプテーション領域内のプライベートデータバイトとして送信される請求項４に記載の方法。
【請求項６】
トランスミッタからＭＰＥＧ圧縮されたテレビジョン信号を受信する方法において、
当該トランスミッタへ前記信号の送信を中断するための要求を送るステップと、
前記信号に挿入された位置ラベルの検出に応じて前記信号の再生を中断し、前記位置ラベルに後続する受信信号を破棄するステップと、
当該トランスミッタへ前記位置ラベルによって規定された位置からの前記信号の送信を再開するための要求を送るステップと、
この要求に応じて受信された前記信号の再生を再開するステップと、
有することを特徴とする方法。
【請求項７】
ＭＰＥＧ圧縮されたテレビジョン信号を一連の信号パケットとしてテレビジョンレシーバに送信するためのトランスミッタにおいて、前記トランスミッタが前記信号の送信の中断及び再開を制御する制御手段と、前記レシーバからの要求を受信する受信手段とを有し、前記制御手段が、
中断後に前記信号の送信が再開できる所定の位置で位置ラベルを前記信号へ挿入し、
前記位置ラベルが挿入された前記信号を送信し、
前記レシーバからの要求に応答して前記信号の送信を中断し、
前記レシーバからの再開要求に応答して前記信号の送信を再開し、ここで前記送信が前記再開要求に規定された位置において再開される、
ように構成されることを特徴とするトランスミッタ。
【請求項８】
前記信号が一連の信号パケットを有する請求項７に記載のトランスミッタにおいて、前記制御手段が、前記信号パケット間の所定の位置に挿入された制御パケットに前記位置ラベルを収容することを特徴とするトランスミッタ。
【請求項９】
請求項８に記載のトランスミッタにおいて、前記位置ラベルはＭＰＥＧトランスポートパケット内のデスクリプタとして送信されることを特徴とするトランスミッタ。
【請求項１０】
請求項７に記載のトランスミッタにおいて、前記制御手段が前記信号パケットのうちの選択されたパケットに前記位置ラベルを収容することを特徴とするトランスミッタ。
【請求項１１】
前記位置ラベルがＭＰＥＧトランスポートパケットのアダプテーション領域内のプライベートデータバイトとして送信される請求項１０に記載のトランスミッタ。
【請求項１２】
一連の信号パケットを有するＭＰＥＧ圧縮されたテレビジョン信号を受信するためのレシーバにおいて、当該レシーバが、
トランスミッタへ前記信号の送信を中断するための要求を送り、
前記信号に挿入された位置ラベルの検出に応じて当該信号の再生を中断し、前記位置ラベルに後続する受信信号を破棄し、
前記トランスミッタへ前記位置ラベルによって規定された位置からの前記信号の送信を再開するための要求を送り、
この要求に応じて受信された前記信号の再生を再開する、
ように構成された制御手段を有することを特徴とするレシーバ。
【発明の詳細な説明】
【技術分野】
【０００１】
本発明は、圧縮されたテレビジョン信号を送信及び受信する方法に関する。本発明は、前記方法を実行するための装置、特にＭＰＥＧ圧縮されたオーディオ及びビデオ信号を送信するためのビデオオンデマンドサーバ(video-on-demand servers)、及び受信するためのセットトップボックス(set top boxes)のような装置にも関する。
【背景技術】
【０００２】
ＭＰＥＧ−２規格内で規定されるいわゆる"トランスポートストリーム"(Transport stream)及び"プログラムストリーム"(Program stream)は、ＭＰＥＧ圧縮されたオーディオ及びビデオ（Ａ／Ｖ）情報を送信及び記憶するために規格化されたメカニズムを備える。デコーダ内のデータバッファは線形的な再生中にオーバーフロー又はアンダーフローしないことを保証する一方で、両方のストリームは、伝送されるオーディオ及びビデオ情報のデコーディング及び表示を同期するためのタイムスタンプを有する。加えて、これらのタイムスタンプは、前記ストリームそれ自体の正確な伝送に使用される。ＭＰＥＧトランスポートストリームは、重大なエラーが発生する環境でのデジタルデータの一つ若しくはそれ以上のプログラムの通信又は記憶装置に合わせられる。このような環境は例えば地上波及び衛星放送番組、ケーブル番組並びに他の通信ネットワークである。ＭＰＥＧプログラムストリームは、エラーがあまりありえないような環境及びシステムコーディングのソフトウェアプロセッシングが主要件である環境において、デジタルデータの一つのプログラムの通信又は記憶装置に合わせられる。このような環境は、例えば光学的及び磁気的な記憶メディアを具備するＰＣである。
【０００３】
２、３年前では、プログラムストリーム及びトランスポートストリームの線形再生及び送信を含むアプリケーションに相当な努力が当てられた。例えば、ＭＰＥＧ−２にエンコードされたプログラムを送ることは、無限長のトランスポートストリームの分布を含む。しかしながら、ビデオサーバからのＭＰＥＧトランスポートストリーム及びプログラムストリームの非線形再生は、同じレベルの注意を受けることはなかった。非線形再生は、前記ストリームの中断及び継続を含み、トリックモードの全ての種類にとって基本的に必要である。トリックモードは、前記ストリームの正確な制御を必要とする。ローカルディスクベースシステムに対する解決法が、一時停止、スローモーション及び早送りのようなトリックモードを支持していることは既知である。しかしながら、ネットワークはローカルシステムとは２つの特徴において違うので、前記既知の解決法では、ネットワーク環境には応用できない。
【０００４】
この第１の特徴は、デコーダ〜ネットワーク〜サーバ〜ネットワーク〜デコーダ間の遅延である。この遅延は、ネットワークの待ち時間と呼ばれていて、一定ではなく、１秒までの大きさを有する。前記ネットワークの待ち時間の結果は、エンドユーザが一時停止（結果としてデコーディング、表示過程を停止すること及び一時停止命令をサーバへ送ること）を要求した後、ネットワークはデコーダへビットをある期間伝送し続けるであろう。前記ストリームの後続する継続も、ネットワークの待ち時間によって複雑になる。すなわち、ネットワークの待ち時間によって、サーバへ"再開（Resume）"命令の送信とデコーダで必要とされるビットの到着との間には相当な遅延がある。一時停止命令の後に伝送される前記ビットと再開命令の後のビットの一時的な欠乏とは、前記デコーダがそのデコーディング及び表示過程を完璧に再開できるような方法で、当該デコーダによって扱われなければならない。
【０００５】
第２の特徴は、ネットワークにおけるＭＰＥＧ−２リマルチプレクサの可能的存在である。リマルチプレクサはトランスポートストリームにおいて異なるＰＩＤを持つパケットを再配置するので、リマルチプレクサの存在はトリックモードに対する支持を複雑にする。ＰＩＤとは、ＭＰＥＧ−２で規定されたパケット識別子（Packet IDentifier）のことである。実際、これは、パケットがサーバから送られたのと同じ配置で前記デコーダには入らないことを意味する。リマルチプレクサが１つのＰＩＤ内でパケットを再配置することはないので、リマルチプレクサの存在はたった１つのＰＩＤ例えばビデオでトランスポートストリームに対するトリックモードの支持を複雑にしないことに注意されたい。
【発明の開示】
【発明が解決しようとする課題】
【０００６】
本発明は、ネットワーク環境におけるＭＰＥＧ−２トランスポートストリーム及びプログラムストリームに対するトリックモードの支持を備えることを目的とする。
【課題を解決するための手段】
【０００７】
本目的のために、本発明は圧縮されたテレビジョン信号を送信する方法において、中断後に前記信号の送信が再開することができる位置で位置ラベルを前記信号へ挿入することを特徴とする方法を提供する。
【０００８】
本発明は、'停止（Pause）'命令が出された後にネットワークによって伝送される全てのビットをデコーダが破棄するという方法に基づいている。前記ストリームをうまく継続するために、前記デコーダは一時停止が生じたとき、当該ストリームにおける位置が何か（例えばサーバからいくつビットを受信したか）を正確に知らなければならない。これは、ＭＰＥＧ−２のデータとの一致を保つために、どの点で正確に継続すべきかをサーバに指示する必要がある。さもなければ、ＭＰＥＧフレームの一部が二重になるか又は欠けてしまう。通常、前記サーバは、デコーダとサーバとの間の通信における待ち時間によって一時停止が前記デコーダで生じた時間でのストリーム位置を正確には決定できない。トランスポートストリームの各ＰＩＤでの独特の位置ラベルを送信することによって、デコーダはどのビットが記憶されそして破棄されるかを正確に決定することができる。前記ストリームの継続は、適切な位置ラベルで始まる新しいビットに対する要求を含む。
【０００９】
本発明は、２つのトリックモード、すなわち'停止（pause）／継続（continue）'及び'スローモーション（slow motion）'に集中している。'pause及びcontinue'に対して必要とされる機能は、使用者がどんな時点においても表示を一時停止することができ、その後で完璧に継続できることである。好ましくは、例えば現在表示されているフレーム／フィールドで直ちに中断が行われ、フレームが何も欠けることなく又は二重になることなく次のフレームで継続が起こるべきである。'pause及びcontinue'は、前記ストリームを停止及び継続するためにデコーダからサーバへ'Pause'及び'Resume'命令の送信を含む。'slow motion'に対して必要とされる命令は、使用者が普通に再生する速度よりも遅い速度で前記ストリームを視覚化できることである。前記デコーダは、スローモーションモードと普通の再生モードとの間の切り替えを可能にすべきである。前記切り替えは、フレームが何一つ欠けることなく及び二重になることなく直ちに行われるべきである。'Slow motion'も、前記ストリームを停止及び開始するために前記デコーダから前記サーバへ'Pause'及び'Resume'命令の送信を含む。
【００１０】
ＭＰＥＧ−２規格におけるいくつかの領域は、独特な位置ラベルを伝送するのに使用できる。前記位置ラベルは、例えばＭＰＥＧストリームデスクリプタの概念を使用して中間制御パケットの別々のストリームに収容される。前記トランスポートにおける各ＰＩＤストリームのＰＣＲ領域は、当該ＰＣＲ情報が別々のストリームに送信されるとき使用することができる。ＰＣＲは、ＭＰＥＧ−２規格で規定されたプログラムクロックリファレンス(Program Clock Reference)を意味する。もしネットワークにリマルチプレクサが存在しない、つまり異なるＰＩＤを持つパケットが再配置されないならば、制御パケットの別々なストリームにおける位置ラベルを収容することがうまく作動する。
【００１１】
前記位置ラベルは、（オーディオ、ビデオ、その他の）信号パケット自身、例えば特有なパケットのアダプテーション領域のプライベートデータの一部にもまた収容される。本実施例は、リマルチプレクサを有するネットワークに対しても作動する。全ての場合に対し、前記位置ラベルの反復速度は、前記ストリームの優れた制御を考慮するのに十分速くなるべきである。一緒に存在する異なるＰＩＤの位置ラベルは、特有の時間コードによって見分けることができる。
【００１２】
デジタルテレビジョン信号を受信することに対応する方法は、前記トランスミッタへ前記信号の送信を中断するための要求を送ること、受信されたビットストリームに収容された位置ラベルの検出によって前記信号の再生を中断し、前記位置ラベルに後続する受信信号を破棄すること、前記トランスミッタへ前記位置ラベルによって規定された位置からの前記信号の送信を再開するための要求を送ること、及びこの要求の受信によって前記信号の再生を再び始めることを特徴とする。
【００１３】
前記ストリームの継続は、ネットワークの待ち時間と等しい遅延を含む。前記遅延は、その大きさが前記ストリームのビットレートにおける最大ネットワーク待ち時間と等しい待ち時間用バッファを使用することで回避できる。この方法は'Slow Motion'トリックモードに対するのと同様に'Pause及びContinue'両トリックモードに対して働く。このような待ち時間用バッファで、前記デコーダは、信号の再生を直ちに一時停止し、前記バッファで有効な後に受信される位置ラベルまでビットを保持できる。前記後に受信される位置ラベルだけが、今は破棄される。再開命令によって、まだ有効なビットの再生が再び始まり、前記サーバは、前記後に受信される位置ラベルに後続するビットの送信を再開することを要求する。
【００１４】
本発明のこれら及び他の特徴を実施例を参照し、以下により詳細に説明する。
【発明を実施するための最良の形態】
【００１５】
第１図は、ビデオオンデマンド（ＶＯＤ）のサーバ１及びネットワーク３を介して接続されるセットトップボックス（ＳＴＢ）２を有するシステムを示す。前記ＶＯＤサーバは、記憶媒体１１及びＶＯＤコントローラ１２を有する。前記ＳＴＢはＭＰＥＧデコーダ２１、ＳＴＢコントローラ２２及び（遠隔）制御ユニット２３を有し、再生装置４に接続される。遠隔制御ユニット２３からの使用者の命令は、ＳＴＢコントローラ２２に与えられ、その命令が前記サーバによって行うべき処理を必要とする限り、ネットワーク３を介し制御信号ＣＴＲＬとして前記ＶＯＤコントローラ１２へ送信される。選択されたテレビジョンプログラムは、前記サーバ１からＭＰＥＧトランスポートストリーム（ＴＳ）の形でＳＴＢ２へ送信される。
【００１６】
複数のテレビジョンプログラムは、通常はハードディスクの配列である記憶媒体１１に記憶される。ＳＴＢからみると、前記サーバは、遠隔ビデオレコーダとして動作する。前記記憶されたテレビジョンプログラムは、様々なスピードで再生、一時停止及び再び始めることができる。特に、前記サーバは、与えられた"tape"位置で始まるプログラムを再生するように指示できる。このために動作命令は、信号の送信が再び始められる位置をｐで見分ける'Resume(p)'と以下呼ばれる。前記プログラムの再生が再び始められる位置の数は、前記信号が物理的に記憶される方法に依存して規定される。例えば、前記位置は、ディスクセクタ又はディスクシリンダ境界と一致しなければならない。前記信号が圧縮され、つまりディスクスペースの量が画像から画像で変わるので、再開位置は、再生時間を過ぎて不規則に配送される。これらは、数秒離れてもよい。
【００１７】
前記再開位置は、ＶＯＤコントローラ１２で既知である。第１図に示すように、前記サーバ１は、パケット化回路１３をさらに有する。この回路は、記憶媒体１１からのＭＰＥＧ圧縮されたテレビジョン信号を受信し、固定長の伝達パケットのストリームを発生する。前記パケット化回路は、ＶＯＤコントローラ１２からの再開位置ｐも受信し、伝達ストリームに後で述べられる方法でこれらを挿入する。位置ｐは、様々な方法で説明が可能である。例えばｐは、本来整数であってもよい。本実施例においてｐは、普通の再生時間に対応する時間コードであると考えられる。
【００１８】
一般的には、テレビジョンプログラムは、ビデオ信号、幾つかのオーディオ信号、及びとりわけ様々な言語でのサブタイトル用の付加的なデータを有する。簡単にすると、前記サーバからＳＴＢへ送信される前記テレビジョンプログラムは、一つのオーディオ信号Ａ及び一つのビデオ信号Ｖだけを有すると仮定する。よって、トランスポートストリームは、オーディオパケットとビデオパケットとを有する。各パケットは、ヘッダとペイロードとを有する。前記ヘッダは、前記パケットがオーディオデータ又はビデオデータを運んでいるかどうかを見分けるパケット識別子（ＰＩＤ）を有する。トランスポートストリームＴＳは様々なテレビジョンプログラムを有することに注意されたい。プログラムマップテーブルは、ＰＩＤが関連するプログラムを構成することを示すために送信される。本実施例において、前記トランスポートストリームＴＳは、選択されたテレビジョン信号のみを運ぶ。
【００１９】
第２図は、前記サーバによって本発明の実施例によりＳＴＢへ送信されるトランスポートストリームＴＳの一例を示す。前記トランスポートストリームは、オーディオパケットＡ１，Ａ２，Ａ３，等及びビデオパケットＶ１，Ｖ２，Ｖ３，等を含む。上記で規定された再開位置で、トランスポートストリームは制御パケットC(p)の形で位置ラベルを含み、その中の２つは、番号５及び６で示される。前記制御パケットのＰＩＤは、（異なるテレビジョンプログラムに従う制御パケットが異なるＰＩＤを持つ）上述されたプログラムマップテーブルを用いて、関連するテレビジョンプログラムに従う。前記パケットのペイロードにおいて、関連する再開位置ｐは時間コードの形にエンコードされる。第２図は、寸法通りでないことに注意すべきである。実際は、当該図面で示されるよりも多くのオーディオ及びビデオパケットが、二つの連続する位置ラベル間で送信される。
【００２０】
前記サーバ及びＳＴＢの動作は、第３図で共同して説明されるであろう。前記図面は、ＳＴＢ（図面の左側）及びサーバ（図面の右側）によって実行される動作ステップのフローチャートを示す。ｔ＝ｔ１でのステップ３１において、ＳＴＢは、一時停止命令を受信する。しかしながらＳＴＢは、前記受信信号を位置ラベルpが検出されるまでデコード及び再生し続ける。その次に、前記信号の再生はｔ＝ｔ２でのステップ３２において止まる。つまりビデオ表示装置が固定され、オーディオ再生が止まる。
【００２１】
ステップ３２において、ＳＴＢは、また一時停止命令を前記サーバへ転送する。一時停止命令をすぐに送信する代わりに前記位置ラベルの検出によって一時停止命令を前記サーバへ送信することは、前記受信信号内に少なくとも一つの位置ラベルが存在することを保証する。ｔ＝ｔ３でのステップ３３において、前記一時停止命令は、前記ネットワークの待ち時間である遅延τ１でサーバに受信される。前記一時停止命令に応じて、前記サーバは前記信号の送信を即座に中断する。
【００２２】
ステップ３４は、ネットワークの待ち時間τ２によってｔ＝ｔ４でレシーバエンドで信号の受信の中断を示す。ステップ３５において、ＳＴＢはステップ３２で検出された位置ラベルに後続する全受信信号データを破棄する。
【００２３】
ｔ＝ｔ５でのステップ３６において、ＳＴＢは再生を再び始めるための使用者からの命令を受信し、前記サーバに"Resume(p)"命令を送信する。ここでｐは、前記再生が止まってしまった位置を表す。ｔ＝ｔ６でのステップ３７において、前記再開命令は前記ネットワークの待ち時間である遅延τ３で前記サーバに受信される。前記再開命令に応じて、前記サーバは、ｐによって規定される位置で始まる信号送信を再び始める。遅延τ４で、前記信号はｔ＝ｔ７でのステップ３８において再生を再び始めるＳＴＢに達する。遅延τ１からτ４は、必ずしも等しい必要はないことに注意すべきである。それらは、一定のオーバータイムである必要もない。
【００２４】
第４図は、本システムにおける様々な時点での信号のタイミング図を示す。特に、ＴＳ１はサーバによって送信されるトランスポートストリームを表し、ＴＳ２はＳＴＢによって受信されるトランスポートストリームを表し、ＤＳＰは再生信号を表す。ｔ＝ｔ１で、一時停止命令が受信される。ｔ＝ｔ２で、位置ラベル４０が検出される。それに応じて、再生は止まり、前記ラベルが破棄された後、パケット４１はネットワークによって伝えられる。ｔ＝ｔ３で、前記サーバは一時停止命令を受信し、ｔ＝ｔ４でレシーバエンドで明らかとなる信号送信を中断する。ｔ＝ｔ５で、ＳＴＢは再開命令を受信する。ｔ＝ｔ６で、前記信号送信は、パケット４１で始まることを再開し、ｔ＝ｔ７で、前記再生は完璧に継続される。
【００２５】
前記ＭＰＥＧシステムの詳細は、トランスポートストリームに異なるＰＩＤを持つパケットの配置を変えることを許容する。もしサーバとＳＴＢとの間のネットワークがリマルチプレクサを有するならば、本場合となり得る。例えば、第２図で示されるトランスポートストリームは、第５図で示されるトランスポートストリームとしてＳＴＢで受信されてもよい。送信されたパケットシーケンスＶ８−Ｃ２−Ａ３−Ｖ９は、まだ有効であるＭＰＥＧシーケンスＡ３−Ｖ８−Ｖ９−Ｃ２として現在受信される。上述した方法に従い、ＳＴＢはＡ２，Ｖ８よりもＡ３，Ｖ９をデコードした後、再生を止めるであろう。しかしながら、サーバは、中断後、これらパケットを再送信するであろう。ＳＴＢが信号の再生を完璧には再開できないことは言うまでもない。
【００２６】
リマルチプレクサの特徴が考慮されるという本発明のもう一つの実施例は、現在述べられるであろう。本実施例において、ＶＯＤコントローラ１２（第１図）は、異なるＰＩＤを持つ中間制御パケットに位置ラベルを挿入するよりも、オーディオ及びビデオパケット自身に位置ラベルを収容する。好ましくは、前記位置ラベルは、ＭＰＥＧ標準が備わるアダプテーション領域に収容される。アダプテーション領域は、トランスポートパケットのヘッダに続く光学データ領域である。ヘッダ内の２ビットは、アダプテーション領域が存在するかどうか及び当該アダプテーション領域がペイロードによって続くかどうかを表す。ＭＰＥＧ標準は、プライベートデータバイトが前記アダプテーション領域に収容されることを許容する。好ましくは、これらプライベートデータバイトは、位置ラベル情報を運ぶ。
【００２７】
第６図は、本実施例に従いサーバによって送信されるトランスポートストリームＴＳの一例を示す。本実施例において、位置ラベルはオーディオパケット７ａ及び８ａに収容される。同様の位置ラベルは、ビデオパケット７ｂ及び８ｂそれぞれに収容される。第７図は、このトランスポートストリームがリマルチプレクサによってＳＴＢで受信される方法を示す。
【００２８】
ＳＴＢの動作は前述したものと本質的には同じである。一時停止命令後、前記ＳＴＢは位置ラベルｐを有するパケット（例えば７ａで表されるビデオパケットＶ５）が検出されるまでビデオ信号を再生し続け、同様の位置ラベルｐ（本例では７ｂで表されるパケットＡ２）を有するオーディオパケットが検出されるまでオーディオ信号を再生し続ける。よって、前記ＳＴＢが第６図に示される本来のトランスポートストリームか又は第７図に示されるリマルチプレクスされたトランスポートストリームを受信するかどうかに関わらず、ビデオの再生はＶ４をデコードした後に中断され、オーディオの再生はＡ１をデコードした後に中断される。前記動作の再開によって、ＳＴＢは"Resume(p)"命令をサーバへ送るであろう。それに応じて、前記サーバは、Ａ２及びＶ５の信号の送信を再スタートし、前記デコーダは、両方の信号の再生を完璧に再生するであろう。
【００２９】
要するに、本発明は、ビデオオンデマンドサーバ（１）からネットワーク（３）を介してレシーバ（３）へのＭＰＥＧエンコードされたテレビジョン信号の送信に関する。"一時停止（pause）"及び"再開（resume）"のような非線形再生機能は、ネットワークの待ち時間及びリマルチプレクサのようなネットワークの典型的特徴を考慮して、ビットストリームの非常に正確な制御を必要とする。一時停止後、レシーバが信号再生を完璧に再開するために、位置ラベル（ｐ；５，６；７ａ，７ｂ，８ａ，８ｂ）は、前記サーバが、中断後に信号の送信を再開できる位置でビットストリームに挿入される。一時停止要求があると、前記デコーダはそのような位置ラベルが検出されるまで再生を始めに継続する。前記ネットワークによって伝わる後続ビットは無視される、つまりそれらは破棄される。再生を再開する要求があると、前記レシーバはサーバに検出位置で開始する信号を再送信することを要求する。
【図面の簡単な説明】
【００３０】
【図１】本発明によるビデオオンデマンドサーバ及びセットトップボックスを有するシステムを示す。
【図２】本発明の一つの実施例によって送信されたテレビジョン信号の一例を示す。
【図３】前記サーバ及びセットトップボックスによって実行される動作ステップのフローチャートを示す。
【図４】前記サーバ及びセットトップボックスの動作を表すタイミング図を示す。
【図５】第２図に示されるテレビジョン信号がセットトップボックスによって受信される方法の一例を示す。
【図６】本発明のもう一つの実施例によって送信されるテレビジョン信号の一例を示す。
【図７】第６図に示されるテレビジョン信号がセットトップボックスによって受信される方法の一例を示す。
【図１】
0003894572.tif 000002
【図２】
0003894572.tif 000003
【図５】
0003894572.tif 000004
【図６】
0003894572.tif 000005
【図７】
0003894572.tif 000006
【図３】
0003894572.tif 000007
【図４】
0003894572.tif 000008